(57)【特許請求の範囲】
【請求項１】
上部ゲートと下部ゲートに分割された各ゲートの表裏面に、パッキン押え板を介してボルトで取付けられるパッキンの、
前記ボルトの嵌入孔にスペーサを設けると共に、
前記パッキン押え板の取付け部におけるパッキンの表裏面のうちの少なくともどちらか一方にシール突起を設けたことを特徴とする分割ゲート水頭差圧両面シール構造。
【請求項２】
パッキンの取付け部における背面側にパッキン座を、パッキンのシール部における背面側にバックアップ座を設けると共に、バックアップ座には通水孔を設けたことを特徴とする請求項１記載の分割ゲート水頭差圧両面シール構造。
【請求項３】
下部ゲートの両側に取付けるパッキンの上部に、上部ゲートの両側に取付けるパッキンとの位置決め用ゴムピンを突設すると共に、下部ゲートの上面には、単包性スポンジゴムのパッキンを取付け、上部ゲートの下面側にはパッキンを取付けないことを特徴とする分割ゲート水頭差圧両面シール構造。
【請求項４】
下部ゲートの両側に取付けるパッキンの上部に、上部ゲートの両側に取付けるパッキンとの位置決め用ゴムピンを突設すると共に、下部ゲートの上面には、単包性スポンジゴムのパッキンを取付けたことを特徴とする請求項１又は２記載の分割ゲート水頭差圧両面シール構造。
【請求項５】
上部ゲートと下部ゲートからなり、これら両ゲートの表裏面は請求項１〜４のいずれか記載のシール構造を有すると共に、両ゲートの表裏面に取付けられるパッキンの近傍には、パッキンの潰れ代を調整可能な支圧板を取付けたことを特徴とする分割ゲート。
【請求項６】
上部ゲートと下部ゲートからなり、これら両ゲートの表裏面は請求項１〜４のいずれか記載のシール構造を有すると共に、上部ゲートの下面と下部ゲートの上面の、どちらか一方にピンを、他方にはこのピンの嵌入受け部材を設け、かつ、上部ゲート及び下部ゲートの上面に設置する吊金具を、ゲートの表裏面方向への調整移動が可能なようにしたことを特徴とする分割ゲート。
【請求項７】
請求項５記載の分割ゲートの、上部ゲートの下面と下部ゲートの上面の、どちらか一方にピンを、他方にはこのピンの嵌入受け部材を設け、かつ、上部ゲート及び下部ゲートの上面に設置する吊金具を、ゲートの表裏面方向への調整移動が可能なようにしたことを特徴とする分割ゲート。
【請求項８】
上部ゲート及び下部ゲートの両側に、戸溝シール位置の再現性を確保するサイドシューを取付けたことを特徴とする請求項５〜７のいずれか記載の分割ゲート。
【請求項９】
下部ゲートの底面におけるゲート幅方向に複数個、回転が自在なように取付けたローラを、ゲート厚さ方向に２列としたことを特徴とする請求項５〜８のいずれか記載の分割ゲート。
【請求項１０】
上部ゲートと下部ゲートからなり、これら両ゲートの表裏面は請求項１〜４のいずれか記載のシール構造を有すると共に、上部ゲートや下部ゲートの下面両側に、上部ゲートや下部ゲートの表裏面方向に９０度反転が可能な起伏治具を、設置可能な構成としたことを特徴とする分割ゲート。
【請求項１１】
請求項５〜９のいずれか記載の分割ゲートの、上部ゲートや下部ゲートの下面両側に、上部ゲートや下部ゲートの表裏面方向に９０度反転が可能な起伏治具を、設置可能な構成としたことを特徴とする分割ゲート。
【発明の詳細な説明】
【０００１】
【発明の属する技術分野】
本発明は、上下に分割されたゲートにおける水頭差圧両面シール構造、及び、このシール構造を備えた分割ゲートに関するものである。
【０００２】
【従来の技術】
例えばスイミングプール型原子炉のプールは、図８に示すように、原子炉プール１と使用済燃料プール２とにゲート３によって仕切られている。そして、このゲート３はゲート３を吊上げる天井走行クレーンの揚程の関係で、上部ゲート３ａと下部ゲート３ｂの二つに分割されている。
【０００３】
ところで、原子炉の通常運転時においては、原子炉プール１の水位が使用済燃料プール２の水位より高く、前記ゲート３には原子炉プール側より両プールの水頭差圧が作用する。また、原子炉プール１内に設置されている設備や実験機器の保守点検時においては、必要に応じて原子炉プール１の水位を低下させるため、使用済燃料プール２の水位より原子炉プール１の水位が低くなる場合がある。このような場合には、前記ゲート３への水頭差圧の作用方向は反転する。このため、前記ゲートは、図９に示すように、上部ゲート３ａは両側と下面側の表裏面に、また、下部ゲート３ｂは両側と上下面側の表裏面に夫々パッキン４を設けた、水頭差圧による両面シール構造となっている。
【０００４】
【発明が解決しようとする課題】
しかしながら、上部ゲート３ａの両側の表裏面に、また、下部ゲート３ｂの両側と下面側の表裏面に設けたパッキン４はボルトによって上部ゲート３ａや下部ゲート３ｂに取付けているが、ボルトの締付けトルクの管理は難しく、設置時、パッキン４には戸溝とのシール面に凹凸が発生し、被シール面に蛇行が生じる。従来は、パッキン４の「首振り」ができない構造のため、シール面に凹凸が生じると、パッキン圧縮量にムラができ、シール力の強弱になって水漏れが発生しやすくなる。
【０００５】
また、上部ゲート３ａの下端側と、下部ゲート３ｂの上端側に設置する、ゲート３の上下分割部のパッキン４が蛇行すると、図１０に示すように、上部ゲート３ａの下端側と、下部ゲート３ｂの上端側に取付けられたパッキン４間で芯ずれが起こり、水漏れが発生する。
【０００６】
本発明は、上記した従来の問題点に鑑みてなされたものであり、分割ゲートのパッキン部での水漏れを可及的に防止できる水頭差圧両面シール構造、及び、このシール構造を備えた分割ゲートを提供することを目的としている。
【０００７】
【課題を解決するための手段】
上記した目的を達成するために、本発明の分割ゲート水頭差圧両面シール構造は、上部ゲートと下部ゲートに分割された各ゲートの表裏面に、パッキン押え板を介してボルトで取付けられるパッキンの、前記ボルトの嵌入孔にスペーサを設けると共に、前記パッキン押え板の取付け部におけるパッキンの表裏面のうちの少なくともどちらか一方にシール突起を設けたり、下部ゲートの両側に取付けるパッキンの上部に、上部ゲートの両側に取付けるパッキンとの位置決め用ゴムピンを突設すると共に、下部ゲートの上面には、単包性スポンジゴムのパッキンを取付け、上部ゲートの下面側にはパッキンを取付けないこととしている。そして、このようにすることで、ゲートの締切り時、取付け後のパッキンの蛇行を防止できたり、上部ゲートの表裏面パッキンと下部ゲートの表裏面パッキンとの不連続及びこれらのパッキンと下部ゲートの上面に取付けるパッキンとの不連続が防止され、パッキンの面圧を均一にできるようになって、パッキン部での水漏れが防止できるようになる。
【０００８】
また、本発明の分割ゲートは、上記した本発明のシール構造を備えた分割ゲートにおいて、上部ゲートと下部ゲートの表裏面に取付けられるパッキンの近傍に、パッキンの潰れ代を調整可能な支圧板を取付けたり、上部ゲートの下面と下部ゲートの上面の、どちらか一方にピンを、他方にはこのピンの嵌入受け部材を設け、かつ、上部ゲート及び下部ゲートの上面に設置する吊金具を、ゲートの表裏面方向への調整移動が可能なようにしたり、上部ゲートや下部ゲートの両側にサイドシューを取付けたり、下部ゲートの底面に取付けるローラを２列にしたり、上部ゲートや下部ゲートの下面両側に、上部ゲートや下部ゲートの表裏面方向に９０度反転が可能な起伏治具を設置できる構成とすることとしている。そして、このようにすることで、パッキンの初期潰れ代を調整できたり、上部ゲートと下部ゲートとの相対位置が確定できたり、ゲートを垂直に吊下げた状態で戸溝へ挿入できるようになったり、戸溝シール位置の再現性を確保できるようになったり、ゲートの自立性が向上し、ゲートの移動がスムーズになったりして、パッキンからの漏れを確実に防止できる。また、ゲートの点検保守作業時、ゲートを水平に倒す作業が容易に行えるようになる。
【０００９】
【発明の実施の形態】
本発明の第１の分割ゲート水頭差圧両面シール構造は、上部ゲートと下部ゲートに分割された各ゲートの表裏面に、パッキン押え板を介してボルトで取付けられるパッキンの、前記ボルトの嵌入孔にスペーサを設けると共に、前記パッキン押え板の取付け部における前記パッキンの表裏面のうちの少なくともどちらか一方にシール突起を設けたものである。このようにすることで、パッキンの締付力の均一化が容易となり、取付け後のパッキンの蛇行を防止できる。
【００１０】
また、上記第１の本発明の分割ゲート水頭差圧両面シール構造において、パッキンの取付け部における背面側にパッキン座を、パッキンのシール部における背面側にバックアップ座を設けると共に、バックアップ座には通水孔を設ければ、パッキン背面側に水圧が作用してパッキンを押える面圧が大きくなる。これが本発明の第２の分割ゲート水頭差圧両面シール構造である。
【００１１】
また、本発明の第３の分割ゲート水頭差圧両面シール構造は、下部ゲートの両側に取付けるパッキンの上部に、上部ゲートの両側に取付けるパッキンとの位置決め用ゴムピンを突設すると共に、下部ゲートの上面には、単包性スポンジゴムのパッキンを取付け、上部ゲートの下面側にはパッキンを取付けないものである。位置決め用ゴムピンの作用により、上部ゲートの両側に取付けるパッキンと下部ゲートの両側に取付けるパッキンとの不連続及びこれらのパッキンと下部ゲートの上面に取付けるパッキンとの不連続が防止され、また、上部ゲートと下部ゲート間とのシールを下部ゲートに取付けた単包性スポンジゴムのパッキンによって行うことで、低荷重で大きな撓みを得ると共に、パッキンの接触幅を一定にできる。
【００１２】
この本発明の第３の分割ゲート水頭差圧両面シール構造を、上記第１及び第２の分割ゲート水頭差圧両面シール構造と組み合せることもできる。これが本発明の第４の分割ゲート水頭差圧両面シール構造である。
【００１３】
本発明の第１の分割ゲートは、上記した本発明の分割ゲート水頭差圧両面シール構造を有すると共に、両ゲートの表裏面に取付けられるパッキンの近傍には、パッキンの潰れ代を調整可能な支圧板を取付けたものである。この支圧板によりパッキンの初期潰れ代を調整し、パッキンへの初期押付力を設定することができる。支圧板が戸溝に当たると、それ以上の水頭圧差は全て支圧板に支持される。従って、パッキンには初期潰れ代とセルフシール分だけが作用し、必要以上の荷重はかからず、上下ゲートの両側に取付けるパッキンの径を小さくすることができる。
【００１４】
また、本発明の第２の分割ゲートは、上記した本発明の分割ゲート水頭差圧両面シール構造を有すると共に、上部ゲートの下面と下部ゲートの上面の、どちらか一方にピンを、他方にはこのピンの嵌入受け部材を設け、かつ、上部ゲート及び下部ゲートの上面に設置する吊金具を、ゲートの表裏面方向への調整移動が可能なようにしたものである。これらピンと嵌入受け部材により上部ゲートと下部ゲートの相対位置が確定されると共に、吊金具を、ゲートの表裏面方向への調整移動が可能なようにすることで、ゲート吊上げ時の安定性が良くなり、パッキンの損傷を防ぐことができる。
【００１５】
上記本発明の第１の分割ゲートと、本発明の第２の分割ゲートを組み合わせることも可能である。これが本発明の第３の分割ゲートである。
【００１６】
また、本発明の第４の分割ゲートは、上記した本発明の第１〜第３のいずれかの分割ゲートにおける、上部ゲート及び下部ゲートの両側に、戸溝シール位置の再現性を確保するサイドシューを取付けたものである。このサイドシューにより戸溝シール位置の再現性が確保できると共に、サイドシューの板厚を調整することにより、ゲート垂直度の微調整が可能になる。
【００１７】
また、本発明の第５の分割ゲートは、上記した本発明の第１〜第４のいずれかの分割ゲートにおける、下部ゲートの底面におけるゲート幅方向に複数個、回転が自在なように取付けたローラを、ゲート厚さ方向に２列としたものである。ローラをゲート厚さ方向に２列とすることによって、ゲートの自立性が向上すると共に、各ローラにかかる荷重が小さくなり、水圧の作用方向が変化した場合のゲートの移動がスムーズに行えるようになる。
【００１８】
また、本発明の第６の分割ゲートは、上記した本発明の分割ゲート水頭差圧両面シール構造を有すると共に、上部ゲートや下部ゲートの下面両側に、上部ゲートや下部ゲートの表裏面方向に９０度反転が可能なころを、設置可能な構成としたものである。上部ゲートや下部ゲートの下面両側に、ゲートの表裏面方向に９０度反転が可能なころを設置できるように構成することで、ゲートの点検保守作業時、ゲートを水平に倒す作業が容易に行えるようになる。
【００１９】
上記本発明の第１〜第５の分割ゲートと、本発明の第６の分割ゲートを組み合わせることも可能である。これが本発明の第７の分割ゲートである。
【００２０】
【実施例】
以下、本発明の分割ゲート水頭差圧両面シール構造を図１〜図３に示す一実施例に基づいて説明し、かつ、この本発明の分割ゲート水頭差圧両面シール構造を備えた本発明の分割ゲートを図４〜図７に示す一実施例に基づいて説明する。
図１は本発明の第１の分割ゲート水頭差圧両面シール構造を説明する図で、（ａ）は下部ゲートの下方中央部を断面して示す斜視図、（ｂ）はパッキンの斜視図、図２は本発明の第２の分割ゲート水頭差圧両面シール構造を説明する図で、（ａ）は下部ゲートの下方コーナ部の正面図、（ｂ）は（ａ）の側面図、図３は本発明の第３，４の分割ゲート水頭差圧両面シール構造を説明する要部斜視図、図４は本発明の分割ゲートを構成する上部ゲートを説明する図で、（ａ）は側面図、（ｂ）は一部切欠いて示す正面図、（ｃ）は吊金具の取付け部の拡大図、図５は本発明の分割ゲートを構成する下部ゲートを説明する図で、（ａ）は側面図、（ｂ）は一部切欠いて示す正面図、（ｃ）は吊金具の取付け部の拡大図、図６は本発明の分割ゲートのパッキン近傍に取付ける支圧板の説明図で、（ａ）はゲートを正面から見た図、（ｂ）は支圧板取付け部の拡大図、（ｃ）は（ｂ）の他の実施例図、図７は本発明の分割ゲートを構成する下部ゲートの点検保守時における傾転要領を説明する図である。
【００２１】
図１〜図３において、１１は上部ゲート３ａと下部ゲート３ｂの表裏面に取付けられる断面Ｐ字状の天然ゴム製（硬さ：ＪＩＳ−Ａ、Ｈｓ４０〜９０）パッキンであり、図１（ａ）に示すように、パッキン１１の取付け部における背面側にはパッキン座１７を、パッキン１１のシール部における背面側にはバックアップ座１２を配置している。
【００２２】
ところで、前記パッキン１１におけるボルト１５の嵌入孔１１ｂには、図１（ａ）に示すように、前記嵌入孔１１ｂと同じ高さのスペーサ１６が設けられ、このスペーサ１６により、ボルト１５の締め過ぎを防止して取付け後のパッキン１１の蛇行を防止すると共に、パッキン１１の締付力の均一化を容易に行えるものを示している。
【００２３】
また、前記パッキン１１は、上部ゲート３ａと下部ゲート３ｂの表裏面に、図１（ａ）や図２に示すように、パッキン押え板１４を介してボルト１５で取付けられるが、本発明では、このパッキン１１の、パッキン押え板１４の取付け部例えば表裏面に、図１（ｂ）に示すように、シール突起１１ａを設けてパッキン１１の締付力をこのシール突起１１ａに集中させ、高いシール性を確保するようにしている。本実施例ではパッキン１１の表裏面にシール突起１１ａを設けたものを示したが、片側にのみシール突起１１ａを設けたものでも良い。但し、片側にのみシール突起１１ａを設けたものでは、シール突起のないパッキン面とパッキン押え板との間のシール性が減少する。
【００２４】
また、前記バックアップ座１２には、図２（ｂ）に示すように、通水孔１２ａを設け、パッキン１１の背面側に水圧を作用させるものを示している。このようにすることで、パッキン１１を押え付ける面圧が大きくなり、漏れを防止する効果が増大する。
【００２５】
１８は下部ゲート３ｂの両側に取付けるパッキン１１の上端中空部に、図３に示すように、突設する位置決め用ゴムピン（硬さ：ＪＩＳ−Ａ、Ｈｓ４０〜９０）であり、ゲートの締切り時、上部ゲート３ａの両側に取付けるパッキン１１との位置決めを行い、側面に設けたパッキン１１と後述する分割部に設けたパッキン１９との不連続を防止するものである。
【００２６】
１９は上部ゲート３ａと下部ゲート３ｂの分割部、すなわち、上部ゲート３ａの下面と下部ゲート３ｂの上面間のシールを行うパッキンであり、低荷重で撓んで潰れ代を大きくとることができるように、穴同士がつながっていない、単包性スポンジゴムを採用している。本発明では、このパッキン１９を、図３に示すように、下部ゲート３ｂの上面にのみ取付け、上部ゲート３ａの下面側には取付けないようにして、ゴムと金属板との接触により止水する構造を採用している。
【００２７】
この単包性スポンジゴム（硬さ：アスカーＣ、５〜５０）からなるパッキン１９は、図３に示す実施例では、パッキン取付け座２０の上に載せた、例えば硬さ、ＪＩＳ−Ａ、Ｈｓ３０〜８０のシリコンゴム製のパッキン台座２１の上面に接着したものを示している。そして、図３に示す実施例では、ゲートの締切り時、パッキン１９が過剰に押し潰されないように、パッキン１９の押し潰される量を規制する規制板２２を取付けたものを示している。このようにすることで、パッキン１９はパッキン台座２１に接着し、パッキン台座２１をボルト１３で締め付けたことによりパッキン１９の面の凹凸がなくなる。
【００２８】
本発明の分割ゲート水頭差圧両面シール構造は上記した構成を採用することで、ゲートの締切り時、取付け後のパッキン１１の蛇行を防止できたり、下部ゲート３ｂの上部に取付けたピン３４及び上部ゲート３ａの両側に取付ける位置決め用ゴムピン１８により、上部ゲート３ａと下部ゲート３ｂとの相対位置が確定され、上部ゲート３ａのパッキン１１と下部ゲート３ｂのパッキン１１との不連続及びパッキン１１とパッキン１９との不連続が防止され、パッキン１９の面圧を均一にできるようになって、パッキン１１，１９部での水漏れが防止できるようになる。
【００２９】
本発明の分割ゲート水頭差圧両面シール構造は、上記した実施例に限らず、上下のゲート３ａ，３ｂの表裏面に取付けられるパッキン１１の、ボルト１５の嵌入孔１１ｂにスペーサ１６を設けると共に、パッキン押え板１４の取付け部にシール突起１１ａを設けただけのもの、或いは、これらのバックアップ座１２に通水孔１２ａを設けたものでも良い。
【００３０】
また、下部ゲート３ｂの両側に取付けるパッキン１１の上部に、上部ゲート３ａの両側に取付けるパッキン１１との位置決め用ゴムピン１８を突設すると共に、下部ゲート３ｂの上面には、単包性スポンジゴムのパッキン１９を取付け、上部ゲート３ａの下面側にはパッキン１１を取付けない構成を採用しただけのものでも良い。
【００３１】
すなわち、これら各部において本発明の構成を採用することで、各部におけるシール性が良好になる。従って、本実施例のように、全ての部分を本発明の構成とすることで、シール性は最良になる。
【００３２】
次に、本発明の分割ゲートを図４〜図７に示す一実施例に基づいて説明する。
図４〜図７において、３１は本発明の分割ゲートを構成する上部ゲート、３２は同じく下部ゲートであり、これらの上部ゲート３１及び下部ゲート３２の表裏面は上記した本発明の分割ゲート水頭差圧両面シール構造を備えている。
【００３３】
３３は前記した上部ゲート３１及び下部ゲート３２の表裏面に取付けられるパッキン１１の近傍に、例えば図６（ａ）に示すように、適宜の間隔を存して表裏面にそれぞれ１２個ずつ設置した支圧板であり、この支圧板３３によりパッキン１１の初期潰れ代Ｌを調整し、パッキン１１への初期押付力を設定できる。パッキン１１には初期潰れ代Ｌとセルフシール分だけが作用し、必要以上の荷重はかからず、断面Ｐ字状のパッキン１１の高さ、すなわち、頭部の径を小さくすることができる。なお、支圧板３３は、パッキン１１の初期潰れ代を調整できるものであれば、図６（ｂ）に示した単なる板状のものであっても、また、図６（ｃ）に示したように、先端側を折り曲げた形状でビス４０に荷重がかからない構造であっても良い。
【００３４】
このような構成とすることで、ゲートの戸溝に凹凸があった場合にも、現場で調整が行えるようになる。さらに、パッキン１１の初期潰れ代を最適に調整することによって、パッキン１１からの漏れを効果的に防止することができる。
【００３５】
３４は図５（ａ）（ｂ）に示すように、下部ゲート３２の上面両側に例えば２個突設したピン、３５は図４（ｂ）に示すように、上部ゲート３１の下面における、前記ピン３４の突設位置に設置された嵌入受け部材であり、本発明の分割ゲートの据付時、これらピン３４が嵌入受け部材３５内に嵌入することによって上部ゲート３１と下部ゲート３２の相対位置が確定され、上部ゲート３１と下部ゲート３２の芯ずれが防止できる。なお、本実施例では下部ゲート３２にピン３４を、上部ゲート３１に嵌入受け部材３５を設けたものを示したが、上部ゲート３１にピン３４を、下部ゲート３２に嵌入受け部材３５を設けたものでも良い。
【００３６】
３６は図４及び図５の（ｂ）（ｃ）に示すように、上部ゲート３１及び下部ゲート３２の上面に設置する吊金具であり、例えば取付け孔３６ａを長孔として、上部ゲート３１及び下部ゲート３２の表裏面方向への調整移動が可能なようになされている。このようにすることで、ゲートの吊位置と重心位置が一直線上となって、ゲート吊上げ時の安定性が良くなり、ゲートを垂直に吊上げた状態で、戸溝への挿入引き抜き作業を行うことができるようになる。従って、作業時のパッキン１１の損傷が防止でき、かつ、上部ゲート３１と下部ゲート３２の芯ずれを防止することができる。
【００３７】
なお、本実施例では、吊金具３６に設けた取付け孔３６ａを長孔として、上部ゲート３１及び下部ゲート３２の表裏面方向への調整移動が可能なものを示したが、上部ゲート３１及び下部ゲート３２に設ける取付け孔を長孔としてもよく、また、上部ゲート３１及び下部ゲート３２に、表裏面方向に複数の取付け孔を設けたものでもよい。
【００３８】
４１は上部ゲート３ａ及び下部ゲート３ｂの例えば両側上下に取付けたサイドシューであり、このサイドシュー４１により戸溝シール位置の再現性が確保できると共に、サイドシュー４１の板厚を調整することにより、ゲートの垂直度の微調整が可能になる。
【００３９】
４２は下部ゲート３ｂの底面に、ゲート幅方向に例えば３連に配置したものを複数個、回転が自在なように取付けたローラであり、ゲート３の表裏面で水圧差が生じた時、水圧の作用する方向にゲート３を移動させるためのものである。本実施例では、このローラ４２を、従来の１列に対して、図１（ａ）に示すように、ゲート厚さ方向に２列としている。このようにすることで、従来のゲートに対して、ゲート３の自立性が向上すると共に、各ローラ４２にかかる荷重が小さくなり、水圧の作用方向が変化した場合のゲートの移動がスムーズに行えるようになる。
【００４０】
３７はゲートの点検保守作業時、上部ゲート３１や下部ゲート３２の下面両側に取付ける起伏治具、例えばころであり、このころ３７を回転自在に取付けた台車３８を上部ゲート３１や下部ゲート３２に枢着し、ころ３７が上部ゲート３１や下部ゲート３２の表裏面方向に９０度反転が可能なようにしている。このように構成することで、例えば図７に示すように、下部ゲート３２を水平に倒す作業が容易に行えるようになる。従って、この傾転時、下部ゲート３２の表裏面に取付けたパッキン１１を損傷することも可及的に減少する。なお、図７中の３９は傾転時、下部ゲート３２の下に敷く盤木である。
【００４１】
本発明の分割ゲートは、上記した実施例に限らず、本発明の分割ゲート水頭差圧両面シール構造と支圧板３３を設置しただけのものや、本発明の分割ゲート水頭差圧両面シール構造と、ピン３４と嵌入受け部材３５、及び、吊金具３６を上部ゲート３１及び下部ゲート３２の表裏面方向へ調整移動が可能なように設置しただけのものや、本発明の分割ゲート水頭差圧両面シール構造と、上部ゲート３１や下部ゲート３２の下面両側に、上部ゲート３１や下部ゲート３２の表裏面方向に９０度反転が可能なころ３７を取付けができるように構成しただけのもの、或いは、これらを適宜組み合わせたものであっても良い。
【００４２】
【発明の効果】
以上説明したように、本発明の分割ゲート水頭差圧両面シール構造によれば、ゲートの締切り時、取付け後のパッキンの蛇行を防止できたり、上下ゲートの表裏面パッキンの不連続及びこれらのパッキンと上下のゲート間に位置するパッキンとの不連続を防止し、パッキンの面圧を均一にできるようになる。従って、パッキン部での水漏れを効果的に防止できる。
【００４３】
また、本発明の分割ゲートによれば、パッキンからの漏れを確実に防止できたり、ゲートの吊下げを安定した状態で行えるようになったり、戸溝シール位置の再現性が確保できるようになったり、ゲートの自立性が向上すると共に、各ローラにかかる荷重が小さくなり、水圧の作用方向が変化した場合のゲートの移動がスムーズに行えるようになったり、ゲートの点検保守作業時、ゲートを水平に倒す作業が容易に行えるようになって、ゲートの傾転時におけるパッキンの損傷を可及的に減少することができる。
【図面の簡単な説明】
【図１】本発明の第１の分割ゲート水頭差圧両面シール構造を説明する図で、（ａ）は下部ゲートの下方中央部を断面して示す斜視図、（ｂ）はパッキンの斜視図である。
【図２】本発明の第２の分割ゲート水頭差圧両面シール構造を説明する図で、（ａ）は下部ゲートの下方コーナ部の正面図、（ｂ）は（ａ）の側面図である。
【図３】本発明の第３，４の分割ゲート水頭差圧両面シール構造を説明する要部斜視図である。
【図４】本発明の分割ゲートを構成する上部ゲートを説明する図で、（ａ）は側面図、（ｂ）は一部切欠いて示す正面図、（ｃ）は吊金具の取付け部の拡大図である。
【図５】本発明の分割ゲートを構成する下部ゲートを説明する図で、（ａ）は側面図、（ｂ）は一部切欠いて示す正面図、（ｃ）は吊金具の取付け部の拡大図である。
【図６】本発明の分割ゲートのパッキン近傍に取付ける支圧板の説明図で、（ａ）はゲートを正面から見た図、（ｂ）は支圧板取付け部の拡大図、（ｃ）は（ｂ）の他の実施例図である。
【図７】本発明の分割ゲートを構成する下部ゲートの点検保守時における傾転要領を説明する図である。
【図８】スイミングプール型原子炉の炉心を浸漬して放射線を遮蔽するプールの説明図である。
【図９】  スイミングプール型原子炉の炉心を浸漬して放射線を遮蔽するプールに設置される二分割ゲートの説明図で、（ａ）は側面図、（ｂ）は正面図である。
【図１０】上部ゲートの下端側と、下部ゲートの上端側に取付けられたパッキン間で芯ずれが起こった場合の説明図である。
【符号の説明】
３ａ      上部ゲート
３ｂ      下部ゲート
１１      パッキン
１１ａ    シール突起
１１ｂ    嵌入孔
１２      バックアップ座
１２ａ    通水孔
１４      パッキン押え板
１５      ボルト
１６      スペーサ
１７      パッキン座
１８      位置決め用ゴムピン
１９      単包性スポンジゴムのパッキン
３１      上部ゲート
３２      下部ゲート
３３      支圧板
３４      ピン
３５      嵌入受け部材
３６      吊金具
３７      ころ
３８      台車
３９      盤木
４０      ビス
４１      サイドシュー
４２      ローラ
【図１】
0004056658.tif 000002
【図２】
0004056658.tif 000003
【図３】
0004056658.tif 000004
【図４】
0004056658.tif 000005
【図５】
0004056658.tif 000006
【図６】
0004056658.tif 000007
【図７】
0004056658.tif 000008
【図８】
0004056658.tif 000009
【図９】
0004056658.tif 000010
【図１０】
0004056658.tif 000011